(57)【特許請求の範囲】
【請求項１】
扉の室外側に付設され且つＲＦＩＤタグから識別情報を読み取る室外側ＲＦＩＤタグリーダと、扉の室内側に付設され且つＲＦＩＤタグから識別情報を読み取る室内側ＲＦＩＤタグリーダと、扉を施解錠する電気錠と、前記室外側ＲＦＩＤタグリーダ及び前記室内側ＲＦＩＤタグリーダにより読み取られた識別情報に基づき前記電気錠を制御する制御部と、室内側における読取開始の指示を入力する室内側読取開始指示入力手段と、室外側における読取開始の指示を入力する室外側読取開始指示入力手段とを備えた電池駆動式の扉開閉制御装置であって、
前記制御部は、通信可能圏内におけるＲＦＩＤタグの検出及び通信可能圏内にあるＲＦＩＤタグからの識別情報の読み取りのために電波を放射している状態である読取動作状態と電波を放射していない状態であるスリープ状態の何れかに前記室外側ＲＦＩＤタグリーダ及び前記室内側ＲＦＩＤタグリーダを制御し、且つ、前記室外側ＲＦＩＤタグリーダ及び前記室内側ＲＦＩＤタグリーダが同時に読取動作状態とならないよう排他制御を行うものであり、さらに、第１の処理モードと第２の処理モードとを有しており、
第１の処理モードの場合、
通常時には前記室外側ＲＦＩＤタグリーダが読取動作状態且つ前記室内側ＲＦＩＤタグリーダがスリープ状態となるよう制御し、
通常時において前記室内側読取開始指示入力手段による読取開始指示の入力を検出すると、前記室外側ＲＦＩＤタグリーダがスリープ状態且つ前記室内側ＲＦＩＤタグリーダが読取動作状態となるよう制御し、
前記室内側ＲＦＩＤタグリーダが読取動作状態である間に前記室外側読取開始指示入力手段による読取開始指示の入力を検出すると、前記室外側ＲＦＩＤタグリーダが読取動作状態且つ前記室内側ＲＦＩＤタグリーダがスリープ状態となるよう制御し、
第２の処理モードの場合、
通常時には前記室外側ＲＦＩＤタグリーダ及び前記室内側ＲＦＩＤタグリーダがスリープ状態となるよう制御し、
通常時において前記室内側読取開始指示入力手段による読取開始指示の入力を検出すると、前記室外側ＲＦＩＤタグリーダがスリープ状態且つ前記室内側ＲＦＩＤタグリーダが読取動作状態となるよう制御し、
通常時において前記室外側読取開始指示入力手段による読取開始指示の入力を検出すると、前記室外側ＲＦＩＤタグリーダが読取動作状態且つ前記室内側ＲＦＩＤタグリーダがスリープ状態となるよう制御し、
前記室内側ＲＦＩＤタグリーダが読取動作状態である間に前記室外側読取開始指示入力手段による読取開始指示の入力を検出すると、前記室外側ＲＦＩＤタグリーダが読取動作状態且つ前記室内側ＲＦＩＤタグリーダがスリープ状態となるよう制御し、
前記室外側ＲＦＩＤタグリーダが読取動作状態である間に前記室内側読取開始指示入力手段による読取開始指示の入力を検出すると、前記室外側ＲＦＩＤタグリーダがスリープ状態且つ前記室内側ＲＦＩＤタグリーダが読取動作状態となるよう制御する
ことを特徴とする扉開閉制御装置。
【請求項２】
前記制御部は、
第１の処理モードの場合、
前記室内側ＲＦＩＤタグリーダを読取動作状態に遷移させてから、前記室外側読取開始指示入力手段による読取開始指示の入力がない状態で所定時間経過すると、前記室外側ＲＦＩＤタグリーダを読取動作状態且つ前記室内側ＲＦＩＤタグリーダをスリープ状態となるよう制御し、
第２の処理モードの場合、
前記室外側ＲＦＩＤタグリーダを読取動作状態に遷移させてから、前記室内側読取開始指示入力手段による読取開始指示の入力がない状態で所定時間経過すると、前記室外側ＲＦＩＤタグリーダをスリープ状態となるよう制御し、
前記室内側ＲＦＩＤタグリーダを読取動作状態に遷移させてから、前記室外側読取開始指示入力手段による読取開始指示の入力がない状態で所定時間経過すると、前記室内側ＲＦＩＤタグリーダをスリープ状態となるよう制御する
ことを特徴とする請求項１記載の扉開閉制御装置。
【請求項３】
前記室外側ＲＦＩＤタグリーダは扉の室外側に設置される室外側筐体に収納され、前記室内側ＲＦＩＤタグリーダは扉の室内側に設置される室内側筐体に収納され、
前記室外側筐体及び前記室内側筐体の扉側には電磁波遮断部材が設けられている
ことを特徴とする請求項１または２に記載の扉開閉制御装置。
【請求項４】
前記室外側ＲＦＩＤタグリーダ及び前記室内側ＲＦＩＤタグリーダとＲＦＩＤタグはＨＦ帯の通信規格により通信する
ことを特徴とする請求項１乃至３何れか一項記載の扉開閉制御装置。
【発明の詳細な説明】
【技術分野】
【０００１】
本発明は、建築物の扉の開閉を制御する扉開閉制御装置に関する。
【背景技術】
【０００２】
従来から、集合住宅、オフィスビル、ホテル、病院、工場など多数の扉を有する比較的大規模な建築物において入退室管理システムが導入されている。この従来の入退室管理システムでは、利用者の識別情報や生体情報を読み取るとる読取装置と、電気的な制御により扉を施解錠する電気錠と、読取装置による読取データに基づき利用者を認証するとともに認証結果に基づき電気錠を制御する制御装置と、多数の扉を集中管理する管理サーバとを備えている。ここで、読取装置は扉近傍の室外側・室内側の壁に付設されている。このような従来の入退室管理システムでは、読取装置の壁への取り付け加工や配線作業など既存設備に導入するには大きなコストがかかるという問題がある。
【０００３】
近年、このような大規模な入退室管理システムではなく、小規模オフィスや個人宅においても、電気的に扉を開閉制御するスタンドアロン型の扉開閉制御装置が登場してきている（例えば特許文献１参照）。このような扉開閉装置では、既存設備への導入の容易性やコストを考慮して、扉の室外側及び室内側の両面に装置を付設する。両者間の接続は有線であっても無線であってもよい。また、このような扉開閉装置では、既存設備への導入の容易性やコストを考慮して電池により駆動する。利用者の認証には非接触型のＩＣカードを用い、室外側にＩＣカードリーダを設置し、室外から室内への利用者の移動を制限している。
【先行技術文献】
【特許文献】
【０００４】
【特許文献１】特許第６４３３７８１号公報
【発明の概要】
【発明が解決しようとする課題】
【０００５】
上述のように、従来のスタンドアロン型の扉開閉制御装置では、室外からの室内への移動の際にはＩＣカードによる認証を必要としていたが、室内から室外への移動には認証を必要としない製品が多かった。一方、スタンドアロン型であっても、室内から室外への移動に認証を行いたいという要望がある。この要望の背景の１つとしては、正当な利用者が入室する際に気づかれないよう第三者がこっそりと一緒に室内に侵入することが考えられ、このような不正侵入者を退出できないようにしてセキュリティを向上させたいというものがある。また背景の１つとしては、例えば認知症の人など一人で退出することが望まれない人が、不用意に退出してしまうことを防止したいというものもある。
【０００６】
このような要望を実現するためには、ＩＣカードリーダなどの読取装置を室外側だけでなく室内側にも設けることが考えられる。しかし、電池駆動型の扉開閉制御装置では、２つのＩＣカードリーダによる電力消費が問題となる。また、スタンドアロン型の扉開閉制御装置では、扉を挟んで室外機と室内機が隣接するので、室外側のＩＣカードリーダと室内側のＩＣカードリーダで電波干渉が発生し、読取不良を起こすことも考えられる。
【０００７】
本発明は上記事情に鑑みてなされたものであり、その目的とするところは、室内側からの退出時にも適切な認証を行うことができ且つ省電力の扉開閉制御装置を提供することにある。
【課題を解決するための手段】
【０００８】
上記目的を達成するために、本願発明は、扉の室外側に付設され且つＲＦＩＤタグから識別情報を読み取る室外側ＲＦＩＤタグリーダと、扉の室内側に付設され且つＲＦＩＤタグから識別情報を読み取る室内側ＲＦＩＤタグリーダと、扉を施解錠する電気錠と、前記室外側ＲＦＩＤタグリーダ及び前記室内側ＲＦＩＤタグリーダにより読み取られた識別情報に基づき前記電気錠を制御する制御部と、室内側における読取開始の指示を入力する室内側読取開始指示入力手段と、室外側における読取開始の指示を入力する室外側読取開始指示入力手段とを備えた電池駆動式の扉開閉制御装置であって、前記制御部は、通信可能圏内におけるＲＦＩＤタグの検出及び通信可能圏内にあるＲＦＩＤタグからの識別情報の読み取りのために電波を放射している状態である読取動作状態と電波を放射していない状態であるスリープ状態の何れかに前記室外側ＲＦＩＤタグリーダ及び前記室内側ＲＦＩＤタグリーダを制御し、且つ、前記室外側ＲＦＩＤタグリーダ及び前記室内側ＲＦＩＤタグリーダが同時に読取動作状態とならないよう排他制御を行うものであり、さらに、第１の処理モードと第２の処理モードとを有しており、第１の処理モードの場合、通常時には前記室外側ＲＦＩＤタグリーダが読取動作状態且つ前記室内側ＲＦＩＤタグリーダがスリープ状態となるよう制御し、通常時において前記室内側読取開始指示入力手段による読取開始指示の入力を検出すると、前記室外側ＲＦＩＤタグリーダがスリープ状態且つ前記室内側ＲＦＩＤタグリーダが読取動作状態となるよう制御し、前記室内側ＲＦＩＤタグリーダが読取動作状態である間に前記室外側読取開始指示入力手段による読取開始指示の入力を検出すると、前記室外側ＲＦＩＤタグリーダが読取動作状態且つ前記室内側ＲＦＩＤタグリーダがスリープ状態となるよう制御し、第２の処理モードの場合、通常時には前記室外側ＲＦＩＤタグリーダ及び前記室内側ＲＦＩＤタグリーダがスリープ状態となるよう制御し、通常時において前記室内側読取開始指示入力手段による読取開始指示の入力を検出すると、前記室外側ＲＦＩＤタグリーダがスリープ状態且つ前記室内側ＲＦＩＤタグリーダが読取動作状態となるよう制御し、通常時において前記室外側読取開始指示入力手段による読取開始指示の入力を検出すると、前記室外側ＲＦＩＤタグリーダが読取動作状態且つ前記室内側ＲＦＩＤタグリーダがスリープ状態となるよう制御し、前記室内側ＲＦＩＤタグリーダが読取動作状態である間に前記室外側読取開始指示入力手段による読取開始指示の入力を検出すると、前記室外側ＲＦＩＤタグリーダが読取動作状態且つ前記室内側ＲＦＩＤタグリーダがスリープ状態となるよう制御し、前記室外側ＲＦＩＤタグリーダが読取動作状態である間に前記室内側読取開始指示入力手段による読取開始指示の入力を検出すると、前記室外側ＲＦＩＤタグリーダがスリープ状態且つ前記室内側ＲＦＩＤタグリーダが読取動作状態となるよう制御することを特徴とする。
【発明の効果】
【０００９】
本発明によれば、室外側ＲＦＩＤタグリーダと室内側タグリーダが同時に読取動作状態とならないので、両者間の電波干渉を防止することができるとともに消費電力を軽減することができる。なお、本願において、「室内側」とは人の侵入を制限する制限区域の境界に設置された扉を挟んで制限区域側であることを意味し、「室外側」とは扉を挟んで制限区域と反対側を意味する。
【図面の簡単な説明】
【００１０】
【図１】扉開閉制御装置の室外機の正面図
【図２】扉開閉制御装置の室内機の正面図
【図３】扉開閉制御装置の扉への取付構造を示す断面図
【図４】扉開閉制御装置の機能ブロック図
【図５】第１の処理モード時における動作を説明するフローチャート
【図６】第１の処理モード時における動作を説明するフローチャート
【発明を実施するための形態】
【００１１】
本発明の一実施の形態に係る扉開閉制御装置について図面を参照して説明する。図１は扉開閉制御装置の室外機の正面図、図２は扉開閉制御装置の室内機の正面図、図３は扉開閉制御装置の扉への取付構造を示す断面図である。
【００１２】
本実施の形態に係る扉開閉制御装置は、図３に示すように、扉１０の室外側に付設された室外機１００と、扉１０の室内側であって室外機１００と反対側に付設された室内機２００とを備えている。
【００１３】
室外機１００は、縦長略直方体で背面開口の筐体１０１と、筐体１０１の開口を閉鎖する蓋体１０２とを備えている。蓋体１０２は室外機１００から放射される電波が室内側に放射されることを防止するための電磁波遮断部材として金属などの導電体により形成されている。蓋体１０２の背面側には、扉１０に形成された貫通孔１１に挿入されるとともに室内機２００と連結するための連結部材１０３が形成されている。連結部材１０３の端部にはネジ穴が形成されている。
【００１４】
室内機２００は、縦長略直方体で背面開口の筐体２０１と、筐体２０１の開口を閉鎖する蓋体２０２とを備えている。蓋体２０２は室内機２００から放射される電波が室外側に放射されることを防止するための電磁波遮断部材として金属などの導電体により形成されている。蓋体２０２の背面側には、ネジ２０３を挿通させるための挿通孔が形成されている。
【００１５】
室外機１００と室内機２００は、室内機２００の蓋体２０２の挿通孔にネジ２０３を挿通させ、室外機１００の連結部材１０３の端部に形成されたネジ穴にネジ２０３をネジ止めすることにより、扉１０を両面から挟み込んだ状態で固定される。なお、室外機１００と扉１０との間及び室内機２００と扉１０との間には、扉１０との密着性を向上させるとともに扉１０の表面を保護するためのゴムパッド１０４，２０４が介在している。室外機１００と室内機２００とは、連結部材１０３に沿って配置された連結ケーブル１０５により電気的に接続される。
【００１６】
室外機１００には、図１及び図３に示すように、前面上部に指紋読み取りセンサ１１０が付設されている。また、室外機１００の前面中央部から下部に亘って、表示部１２１と一体に構成されたタッチパネル１２０が付設されている。また、室外機１００の内側下部には、室外側ＲＦＩＤ（Radio Frequency IDentifier）タグリーダ１３０が配置されている。
【００１７】
指紋読み取りセンサ１１０は、利用者の指紋を認識し、当該指紋情報を利用者の認証情報として用いる周知のセンサである。
【００１８】
タッチパネル１２０は、利用者によるタッチを検出することにより利用者から各種情報を入力する手段として機能し、本実施の形態では、室外側ＲＦＩＤタグリーダ１３０の読取開始の指示を入力する室外側読取開始指示入力手段としても機能する。表示部１２１は、ＬＥＤパネル・液晶パネルなど周知の装置からなり各種情報を表示する。
【００１９】
室内機２００は、図２及び図３に示すように、電気的に扉を施解錠する電気錠２１０を備えている。電気錠２１０は、電動モータやソレノイド等の駆動手段によりボルト２１１を側方に突出させ、このボルト２１１と壁に付設したストライクと呼ばれる係合部材とを係合させることにより扉１０を施錠する。電気錠２１０は、さらに、非常用の鍵を用いて施解錠できるようシリンダ錠２１２を備えている。壁に付設したストライクには、扉１０の開閉状態を検出するために用いられるマグネットが付設されている。なお、本実施の形態に係る室内機２００は、サムターンなど認証なしで手動により施解錠する手段は備えていない点に留意されたい。
【００２０】
室内機２００には前面上部に解錠ボタン２２０が付設されている。室内機２００の内側であって解錠ボタン２２０の背後には、室内側ＲＦＩＤタグリーダ２３０が配置されている。また、室内機２００には電源として一次電池である乾電池２４０が収納されており、室内機２００及び室外機１００に電力を供給している。
【００２１】
解錠ボタン２２０は、プッシュボタンなど周知の入力手段であり、本実施の形態では、室内側ＲＦＩＤタグリーダ２３０の読取開始の指示を入力する室内側読取開始指示入力手段として機能する。
【００２２】
室外側ＲＦＩＤタグリーダ１３０及び室内側ＲＦＩＤタグリーダ２３０は、ＲＦＩＤタグから識別情報を非接触で読み取る周知の読取装置からなる。読取対象であるＲＦＩＤタグは、カードやブレスレットや指輪に埋め込まれていても良いし、スマートフォンと呼ばれる多機能携帯通信機器やその他の機器に埋め込まれていても良い。ＲＦＩＤタグはパッシブ型であってもアクティブ型であってもよい。本実施の形態ではパッシブ型を用いた。また、ＲＦＩＤタグと室外側ＲＦＩＤタグリーダ１３０及び室内側ＲＦＩＤタグリーダ２３０との通式規格、特に周波数帯域は不問である。本実施の形態ではＨＦ（High Frequency）帯の通信規格を用いた。
【００２３】
次に、本実施の形態に係る扉開閉制御装置の電気的な構成について図４を参照して説明する。図４は扉開閉制御装置の機能ブロック図である。
【００２４】
扉開閉制御装置は、図４に示すように、指紋読み取りセンサ１１０と、タッチパネル１２０と、表示部１２１と、室外側ＲＦＩＤタグリーダ１３０と、電気錠２１０と、解錠ボタン２２０と、室内側ＲＦＩＤタグリーダ２３０と、これらと電気的に接続した制御部１５０とを備えている。制御部１５０は室外機１００に収納されている。
【００２５】
制御部１５０は、主演算装置・メモリ・タイマ・Ｉ／Ｏインタフェイス等を備えた周知のマイクロコンピュータからなる。制御部１５０は、利用者の認証情報１５１と、制御部１５０の動作を設定するための設定情報１５２とが記憶されている。認証情報１５１は、利用者が有するＲＦＩＤタグの識別情報、指紋データなど利用したい認証方法に応じた任意の情報を含む。設定情報１５２は、タッチパネル１２０或いは外部装置等から入力される。設定情報１５２は、後述する制御部１５０の処理モード情報を含む。
【００２６】
次に、本実施の形態に係る扉開閉制御装置の動作について説明する。ここでは、本発明の要旨であるＲＦＩＤタグを用いた扉開閉制御についてのみ説明するものとする。
【００２７】
本実施の形態では、制御部１５０は、２つの処理モードを有する。第１の処理モードは、通常時すなわち待機時において室外側ＲＦＩＤタグリーダ１３０を読取動作状態且つ室内側ＲＦＩＤタグリーダ２３０をスリープ状態とするモードである。一方、第２の処理モードは、通常時すなわち待機時において室外側ＲＦＩＤタグリーダ１３０及び室内側ＲＦＩＤタグリーダ２３０の双方をスリープ状態とするモードである。ここで、ＲＦＩＤタグリーダの読取動作状態とは、通信可能圏内にＲＦＩＤタグが存在するかを検出するとともに通信可能圏内にあるＲＦＩＤとの通信により識別情報を読み取るために所定の周波数の電波を放射している状態を意味する。また、ＲＦＩＤタグリーダのスリープ状態とは、前述の電波を放射していない状態を意味する。スリープ状態のＲＦＩＤタグリーダは、読取動作状態のＲＦＩＤタグリーダよりも消費電力が小さい。制御部１５０は、設定情報１５２に含まれる処理モード情報に基づき、第１の処理モード又は第２の処理モードで動作する。
【００２８】
まず第１の処理モードについて図５を参照して説明する。図５は第１の処理モード時における動作を説明するフローチャートである。
【００２９】
第１の処理モードの場合、制御部１５０は、通常時の動作として、室外側ＲＦＩＤタグリーダ１３０を読取動作状態且つ室内側ＲＦＩＤタグリーダ２３０をスリープ状態となるように制御する（ステップＳ１）。制御部１５０は、室外側ＲＦＩＤタグリーダ１３０がＲＦＩＤタグを検出し、当該ＲＦＩＤタグの識別情報を読み取り、当該識別情報に基づく認証に成功すると、扉１０を解錠するよう電気錠２１０を制御する（ステップＳ２，Ｓ３）。一方、制御部１５０は、室内側に設けられている解錠ボタン２２０の押下を検出すると、室外側ＲＦＩＤタグリーダ１３０を読取動作情報からスリープ状態に遷移させるとともに、室内側ＲＦＩＤタグリーダ２３０をスリープ状態から読取動作状態に遷移させる（ステップＳ４〜Ｓ６）。
【００３０】
次に、制御部１５０は、室内側ＲＦＩＤタグリーダ２３０がＲＦＩＤタグを検出し、当該ＲＦＩＤタグの識別情報を読み取り、当該識別情報に基づく認証に成功すると、扉１０を解錠するよう電気錠２１０を制御する（ステップＳ７，Ｓ８）。ここで、制御部１５０は、室外側に設けられているタッチパネル１２０が利用者のタッチ動作を検出すると、室外側ＲＦＩＤタグリーダ１３０を読取動作状態且つ室内側ＲＦＩＤタグリーダ２３０をスリープ状態となるように制御する（ステップＳ９，Ｓ１）。この動作は、室内側での読取動作をキャンセルして通常時の動作に復帰させるものである。ここで、利用者によるタッチパネル１２０のタッチ動作は、室外側ＲＦＩＤタグリーダ１３０の読取開始の指示に相当する。また、制御部１５０は、室内側ＲＦＩＤタグリーダ２３０を読取動作状態に遷移させてから所定時間（例えば１０秒）経過すると、室外側ＲＦＩＤタグリーダ１３０を読取動作状態且つ室内側ＲＦＩＤタグリーダ２３０をスリープ状態となるように制御する（ステップＳ１０，Ｓ１）。この動作は、室内側での読取動作をキャンセルして通常時の動作に復帰させるものである。
【００３１】
次に第２の処理モードについて図６を参照して説明する。図６は第２の処理モード時における動作を説明するフローチャートである。
【００３２】
第２の処理モードの場合、制御部１５０は、通常時の動作として、室外側ＲＦＩＤタグリーダ１３０及び室内側ＲＦＩＤタグリーダ２３０の双方をスリープ状態となるように制御する（ステップＳ２１）。制御部１５０は、室外側又は室内側の一方において利用者からの読取開始の指示の入力を検出すると、当該入力を検出した側のＲＦＩＤタグリーダ１３０又は２３０をスリープ状態から読取動作状態に遷移させる（ステップＳ２２，Ｓ２３）。ここで、室外側における利用者からの読取開始の指示の入力とはタッチパネル１２０のタッチ動作であり、室内側における利用者からの読取開始の指示の入力とは解錠ボタン２２０の押下である。次に、制御部１５０は、読取動作状態であるＲＦＩＤタグリーダ１３０又は２３０がＲＦＩＤタグを検出し、当該ＲＦＩＤタグの識別情報を読み取り、当該識別情報の認証に成功すると、扉１０を解錠するよう電気錠２１０を制御する（ステップＳ２４，Ｓ２５）。
【００３３】
一方、室外側又は室内側の一方のＲＦＩＤタグリーダ１３０又は２３０を読取動作状態にした後に、室外側又は室内側の他方において利用者からの読取開始の指示の入力を検出すると、読取動作状態となっているＲＦＩＤタグリーダ１３０又は２３０をスリープ状態に遷移させるとともに、入力を検出した側のＲＦＩＤタグリーダ１３０又は２３０をスリープ状態から読取動作状態に遷移させる（ステップＳ２６，Ｓ２７，Ｓ２３）。この動作は、最初に読取開始指示の入力があった側での読取動作をキャンセルして、その後に読取開始指示の入力があった側での読取動作を開始するものである。
【００３４】
また、制御部１５０は、室外側又は室内側の一方のＲＦＩＤタグリーダ１３０又は２３０を読取動作状態にしてから所定時間（例えば１０秒）経過すると、室外側ＲＦＩＤタグリーダ１３０及び室内側ＲＦＩＤタグリーダ２３０をスリープ状態となるように制御する（ステップＳ２８，Ｓ２１）。この動作は、読取開始時の入力があった側での読取動作をキャンセルして通常時の動作に復帰させるものである。
【００３５】
このように本実施の形態に係る扉開閉制御装置によれば、室外側ＲＦＩＤタグリーダ１３０と室内側ＲＦＩＤタグリーダ２３０を排他制御し、両者が同時に読取動作状態とならないので、両者間の電波干渉を防止することができるとともに消費電力を軽減することができる。
【００３６】
また、本実施の形態に係る扉開閉制御装置によれば、室外機１００の蓋体１０２と室内機２００の蓋体２０２を電磁波遮断部材で形成したので、室外側ＲＦＩＤタグリーダ１３０から放射される電波が室内側に放射されること及び室内側ＲＦＩＤタグリーダ２３０から放射される電波が室外側に放射されることを防止することができる。
【００３７】
以上、本発明の一実施の形態について詳述したが、本発明は上記実施の形態に限定されるものではなく、本発明の主旨を逸脱しない範囲において、種々の改良や変更をしてもよい。
【００３８】
例えば、上記実施の形態では、ＲＦＩＤタグリーダ１３０，２３０以外の利用者を認証するための手段として指紋読み取りセンサを例示したが、他の任意の認証手段を備えていてもよい。他の手段としては、例えば、Ｂｌｕｅｔｏｏｔｈ（登録商標）を用いた通信による認証手段や、専用のリモコン装置を用いた通信による認証手段や、利用者の虹彩を認識して認証を行う虹彩認識など他の生体情報を用いた認証手段や、利用者の顔を撮像して画像認識技術により認証を行う認証手段などが挙げられる。
【００３９】
また、上記実施の形態では、室外側において読取開始指示を入力する手段としてタッチパネル１２０を用いたが、スイッチや音声認識など他の入力手段を用いてもよい。同様に、上記実施の形態では室内側において読取開始指示を入力する手段として解錠ボタン２２０を用いたが、音声認識など他の入力手段を用いてもよい。
【符号の説明】
【００４０】
１０…扉
１００…室外機
１３０…室外側ＲＦＩＤタグリーダ
１５０…制御部
２００…室内機
２１０…電気錠
２２０…解錠ボタン
２３０…室内側ＲＦＩＤタグリーダ
【要約】      （修正有）【課題】室内側からの退出時にも適切な認証を行うことができ且つ省電力の扉開閉制御装置を提供する。【解決手段】扉の室外側に付設された室外側ＲＦＩＤタグリーダ１３０と、扉の室内側に付設された室内側ＲＦＩＤタグリーダ２３０と、扉を施解錠する電気錠２１０と、室外側ＲＦＩＤタグリーダ１３０及び室内側ＲＦＩＤタグリーダ２３０により読み取られた識別情報に基づき電気錠２１０を制御する制御部１５０とを備えた電池駆動式の扉開閉制御装置であって、制御部１５０は、室外側ＲＦＩＤタグリーダ１３０及び室内側ＲＦＩＤタグリーダ２３０が同時に読取動作状態とならないよう排他制御を行う。【選択図】図４【図１】
0006917601.tif 000002
【図２】
0006917601.tif 000003
【図３】
0006917601.tif 000004
【図４】
0006917601.tif 000005
【図５】
0006917601.tif 000006
【図６】
0006917601.tif 000007